Podtech/llm-jp-corpus-v4-ja_patent huggingface dataset:
(57)【要約】      （修正有）【課題】ドレスケーキ等のスカート形状のスポンジケーキの土台等を製作するにあたって、スポンジケーキ等をカットして積み上げて製作するのに最適な形状にカットするためのケーキカッターを提供する。【解決手段】縦に積み上げる複数のスポンジケーキ等カッターＥ、Ｆ、Ｇで構成されており、スポンジケーキ等をカットできる厚みの円形や四角等様々な形状で、スポンジケーキ等の周りをきれいにくり抜くカッターで、上方向の上部外側には、スポンジケーキをくり抜きやすくするための持ち手Ｄがついており、大きいサイズの当製品から順に下から上に重ねた時に、下の段の狭い口と上の段の広い口の寸法と形状が同じになる。【選択図】図１
0003232128.tif 000002
【実用新案登録請求の範囲】
【請求項１】
ドールケーキのケーキドレス等の製菓等製作にあたって、ドレスケーキのスカート部分を製作するためにスポンジケーキをカットして積み上げるためのスカート形状スポンジケーキ等カット用の専門ケーキカッターであり、ドレスケーキの製作等が主に想定される設計である事。
【請求項２】
２段以上の複数の段でセットになっている事。
【請求項３】
当ケーキカッターには、広い口と狭い口の両方がある種類のもの、あるいは、下部のカッター部分と上部の中空洞のサイズは同じ種類のものを想定しており、いずれにしても下部を下にして、スポンジケーキ等をくり抜くものである事。
【請求項４】
当ケーキ等カッターの狭い口は当製品の上部であり、その上部には、スポンジケーキ等をくりぬきやすいように、持ち手がついている事。
【請求項５】
当製品である複数の段を入れ子にして収納時に嵩張らないようにし、かつ、配送時にも送料が高くなったり嵩張らない為にも、複数の段は入れ子にできるようなサイズと形状で持ち手部分のサイズや形状にも気をつけつつ、小さくまとめて効率的・合理的に収納や配送できるようなサイズと形状で設計している事。
【考案の詳細な説明】
【技術分野】
【０００１】洋菓子製作等において、ドールドレス等のスカート形状など、円錐、三角錐、四角錐などの、上部が細くなっている錐形状、あるいは台形等のドレスケーキ等の製作に効果を発揮する、スカート様（よう）形状ケーキの製作に非常に効果的で効率的な製菓ケーキやゼリーなどもカットできるカッターであり、ある程度の食材のカット力を有する物です。
【考案の概要】
【考案が解決しようとする課題】
【０００２】従来は、この様なドレスケーキ等の製作に専門のカッターが無かったため、既にあるものを使用して苦労してなんとか段階的階段状にするスポンジケーキを積み上げ、生クリームでナッペしてケーキの見た目、外観を整えていた。
【課題を解決するための手段】
【０００３】Ａ、Ｂ、Ｃ及びＥ、Ｆ、Ｇは、ケーキカッターであり、全て、中は中空洞になっており、カッターの下部からスポンジケーキ等に対して下に押し込むようにしてスポンジケーキ等の周囲を切り取って使うものであるが、Ｄは、持ち手であり、カットや作業をしやすくするための効果的な突起物である。
【考案の効果】
【０００４】当製品の形状と組み合わせによって、従来は苦労して作っていたドレスケーキのスカート状の部分のスポンジケーキ等の型抜きと生クリームのナッペが効率的に綺麗に素早く仕上がる。
【図面の簡単な説明】
【０００５】
【図１】垂直タイプ全方位側面図
【図２】垂直タイプ上面図
【図３】垂直タイプ底面図
【図４】傾斜タイプ全方位側面図
【図５】傾斜タイプ上面図
【図６】傾斜タイプ底面図
【産業上の利用可能性】
【０００６】製菓業界、パティシエ、料理業界など、調理全般の業界で特に、固形ゼリーカッター、ケーキの型取り、ドレスケーキのスカート形状製作などなど、多岐に渡り、有効活用していただけると思います。
【符号の説明】
【０００７】Ａ  垂直タイプ最大サイズ最下段周辺カッター
Ｂ  垂直タイプ中段周辺カッター
Ｃ  垂直タイプ最小サイズ最上段周辺カッター
Ｄ  利便性上の持ち手
Ｅ  傾斜タイプ最大サイズ最下段周辺カッター
Ｆ  傾斜タイプ中段周辺カッター
Ｇ  傾斜タイプ最小サイズ最上段周辺カッター
【図１】
0003232128.tif 000003
【図２】
0003232128.tif 000004
【図３】
0003232128.tif 000005
【図４】
0003232128.tif 000006
【図５】
0003232128.tif 000007
【図６】
0003232128.tif 000008
【手続補正書】
【提出日】令和3年1月20日(2021.1.20)
【手続補正１】
【補正対象書類名】実用新案登録請求の範囲
【補正対象項目名】全文
【補正方法】変更
【補正の内容】
【実用新案登録請求の範囲】
【請求項１】
ドールケーキのケーキドレスの製菓製作にあたって、ドレスケーキのスカート部分を製作するためにスポンジケーキをカットして積み上げるために２段以上の複数の段でケーキカッターがセットになっている事を特徴とするドールケーキの制作専用の為にスカート形状スポンジケーキをカットする為に開発設計されたケーキカッター。
【請求項２】
当ケーキカッターでは、広い口と狭い口の両方がある種類のもの、あるいは、下部のカッター部分と上部のカッター部分の直径サイズが同じ種類の２パターンの形状を想定しており、いずれにしてもケーキカッター持ち手が無いカッター部分を下にしてスポンジケーキをくり抜くものであり、当製品の部品のうち、サイズの大きなケーキカッターで切り取ったケーキを下にして積み重ねてドレスケーキを制作する事を特徴とする請求項１記載のドールケーキの制作専用の為に開発設計されたケーキカッター。
【請求項３】
当ケーキカッターの狭い口は当製品の上部であり、その上部には、スポンジケーキをくりぬきやすいように、持ち手がついている事を特徴とする請求項１記載のドールケーキの制作専用の為に開発設計されたケーキカッター。
【請求項４】
当製品のケーキカッターは、各ケーキカッターのそれぞれ複数の段を入れ子にして収納時に嵩張らないようにし、かつ、配送時にも収納段ボールが大きくなる事で送料が高くなったり非効率で場所を無駄に取るような形状構成にならない為にも、複数の段は入れ子にできるようなサイズと形状で持ち手部分のサイズや形状も含めて入れ子にできるようにして小さく、当ケーキカッターの大きなサイズの中に、それより小さなケーキカッターを大きなものから順番に収納していく事により小さくまとめられて、効率的・合理的に収納や配送できるようなサイズと形状、構成になるように設計している事を特徴とする請求項１記載のドールケーキの制作専用の為に開発設計されたケーキカッター。
(57)【要約】      （修正有）【課題】机上の作業の途中に新たな作業を臨時に実施する必要が生じた場合、安定且つ整然とした作業面を臨時として机上に作る机上設置用の平板を提供する。【解決手段】板本体１に従来の机上の物体により生じる凹凸を吸収するために十分な形状変化を持つ低反発素材２を底面に取り付ける。作業中の従来の机上に設置する事により、作業状態を維持しながら臨時の作業空間を確保する。【選択図】図１
0003232127.tif 000002
【実用新案登録請求の範囲】
【請求項１】
机の底面に低反発の形状変化素材を設け、物体の置かれた机上に作業者の必要に応じ設置する事で、机上の凹凸を吸収し、水平且つ安定した新たな作業面を作る事を特徴とする机
【考案の詳細な説明】
【技術分野】
【０００１】  本考案は、書類や文具などの物体が置かれた状態の学習机、作業机、座卓などの机上で用いる、机の形状に関するものである。
【背景技術】
【０００２】  従来の机の形状は、天板が脚に固定され、脚が床面に接触しているものである。また、収納が可能なスライド机は、ベッドや机などの家具に固定されているものである。
【先行技術文献】
【特許文献】
【０００３】
【特許文献１】特開２００１−０５１７５３  公報
【特許文献２】実全昭６３−０１９３５４号  公報
【考案の概要】
【考案が解決しようとする課題】
【０００４】  現在、働き方改革やコロナウイルスの影響に伴い、在宅勤務の傾向が高まっている。在宅勤務においては、自宅内に机などの作業環境を整える事が重要となる。しかしながら、以上の技術によれば、自宅内で作業を行う平面を確保する事が前提となり、作業に必要な平面を十分に確保できない場合は、都度の整頓により必要な平面を構築する必要があった。また、新たな平面を確保するために机上に机を設置する事は、机の荷重や高さを踏まえると現実的ではなく、仮に設置できたとしても、使い勝手の良いものではなかった。机の代替として板を机上に置く場合、机上の物体が板で押し潰され変形したり、板が机上の物体により傾斜したりするため、作業を目的とした環境に適切でなかった。そこで本考案は、机上の状態を保持しながら、臨時的に新たな平面を確保するために設置する事ができる、机を提供する事を課題とする。
【課題を解決するための手段】
【０００５】  以上の課題を解決するために、本考案は、筆記作業などを行うにあたり十分な強度と寸法を有する板本体に、書類や文具などの机上の物体による凹凸を吸収するのに十分な形状変化を有する低反発素材を底面に接合し、物体が置かれた机上に設置する事で、安定且つ整然とした作業面を臨時として机上に作る事を特徴とする机である。
【考案の効果】
【０００６】  上述した考案によれば、低反発素材が物体の凹凸を吸収するため、机上に書類や文具が散乱する状態で設置をしても、机上の物体を破損や変形させる恐れが少ない。また、机上の物体の影響を受ける事により、作業面が傾斜する心配も少ない。机上に設置し新たな作業面として利用できる事から、臨時的な作業を目的として行う机上の片づけが不要になる。従来の机と比べ軽量且つ小型のため、設置及び撤去を容易に行う事ができ、また、不使用時に保管場所を取らない。
【図面の簡単な説明】
【０００７】
【図１】本考案の一実施形態を示す斜視図である。
【図２】本考案の一実施形態を示す平面図である。
【図３】本考案の一実施形態を示す右側面図である。
【図４】本考案の一実施形態を示す正面図である。
【図５】本考案の一実施形態の一実施例を示す斜視図である。
【考案を実施するための形態】
【０００８】  以下、本考案を実施するための最良の実施形態について説明する。
【０００９】  この考案の一実施形態を、図１に示す。机は奥行き３５０ｍｍ幅５５０ｍｍ厚さ１５ｍｍの板本体１と奥行き３５０ｍｍ幅５５０ｍｍ厚さ２０ｍｍの低反発素材２から構成される。板本体１と低反発素材２は接着剤により接合されている。板本体１と低反発素材２により構成されている側面は４面全てに凹凸がなく接合されている。この一実施形態に記載した寸法及び位置は一例であり限定されるものではない。
【００１０】  以下、本考案を実施するための最良の実施形態による効果について説明する。
【００１１】  この実施形態によれば、机上に新たな平面として設置する際に、低反発素材が机上の物体の形状に合わせて変形するため、作業中の荷重により物体を傷つける可能性が低い。低反発素材が机上の凹凸を吸収する事から、作業面は板単体を直接設置する場合と比べ傾斜しにくく、水平で安定した作業面を確保する事ができる。机上に物体が置かれた状態においても使用できるため、一時的な作業のために机上を整理整頓する手間を省く事が可能になる。また、机全体における厚みは数センチのため、従来の机よりも持ち運びや収納を容易にする事ができる。
【００１２】  以下、本考案における他の実施形態について説明する。
【００１３】  板本体１の平面の形状は、作業に支障を与えない限り、角丸四角形や楕円形などの長方形以外の形状としても良い。板本体１と低反発素材２の接合は、両素材を問題無く接合する限り、使用する接合の方法は問わない。板本体１は、厚み１５ｍｍの木材を材料とする事が望ましいが、作業に必要な強度を有する限り、寸法が異なる樹脂板などとしても良い。板本体１の平面は、奥行き３５０ｍｍ幅５５０ｍｍの寸法が望ましいが、作業に必要な面積を確保できる限り、寸法を調整しても良い。低反発素材２の平面寸法は、板本体１と同等である事が望ましいが、作業に支障がない限り、寸法が異なっても良い。低反発素材２は一つの材料により構成される事が望ましいが、複数素材を組み合わせても良い。低反発素材２は一つの部品により構成される事が望ましいが、複数に分割されたものであっても良い。低反発素材２は素材が発砲ウレタンやスポンジを使用する事が望ましいが、十分な形状変化を持ち、接触した従来の机３上の物と接合しなければ、他の素材を用いても良い。低反発素材２は膨張時に２０ｍｍ以上の厚みを有し収縮時に１５ｍｍ以上圧縮収縮する事が望ましいが、従来の机３上の物の大きさを吸収できる圧縮収縮を有する寸法である限り、寸法を調整しても良い。板本体１の平面に幕板及び天板となる板を取り付け、収納を可能とする引き出し口を設ける事もできる。机の使用目的は事務作業に限定されず、勉強や文筆活動用や工作作業などを目的として従来の机３上に設置して使用しても良い。
【符号の説明】
【００１４】  １  板本体
２  低反発素材
３  従来の机
【図１】
0003232127.tif 000003
【図２】
0003232127.tif 000004
【図３】
0003232127.tif 000005
【図４】
0003232127.tif 000006
【図５】
0003232127.tif 000007
【手続補正書】
【提出日】令和3年1月20日(2021.1.20)
【手続補正１】
【補正対象書類名】実用新案登録請求の範囲
【補正対象項目名】全文
【補正方法】変更
【補正の内容】
【実用新案登録請求の範囲】
【請求項１】
平面形状の板本体と、板本体の底面に設けられる低反発の形状変化素材を有し、物体の置かれた机上に作業者の必要に応じ設置する事で、机上の凹凸を吸収し、水平且つ安定した新たな作業面を作る事を特徴とする机上設置用の平板。
(57)【要約】      （修正有）【課題】鼻の血流を良くして鼻の通しを改善し、更にこめかみ、目頭、眉毛等への圧迫と緊張による疲れや頭痛などを改善するメガネを提供する。【解決手段】鼻掛けアタッチメント１０４、１０５と耳かけアーム１０６、１０７とレンズフレーム１０３−２とを有するメガネ１００において、鼻掛けアタッチメント１０４、１０５及び耳かけアーム１０６、１０７又はレンズフレーム１０３−２のいずれか一つ以上に永久磁石を設ける。【選択図】図１
0003232130.tif 000002
【実用新案登録請求の範囲】
【請求項１】
鼻掛けアタッチメントと耳かけアームとレンズフレームとを有するメガネにおいて、前記鼻掛けアタッチメント及び耳かけアーム又はレンズフレームのいずれか一つ以上に永久磁石を設けたことを特徴とするメガネ。
【考案の詳細な説明】
【技術分野】
【０００１】  本考案は、メガネに関する。
【背景技術】
【０００２】  我々が住んでいる地球は大きな磁性体であり，微生物ばかりでなく高等動物も大なり小なり磁場の影響を受けているが，磁場が目に見えないエネルギーであるので気付ずに生活または生きている。
しかし近年、特にスポーツではさまざまな方法でパフォーマンスを向上させていく必要があるが、その一つの手段として磁気ネックレスの導入がある。磁気ネックレスを作るある会社は石英（クオーツ）の磁気を有するガラス球をテープで体に貼っていると身体が軽くなったという報告がある。それが高齢者を中心に口コミで広がり、次第にスポーツの分野にも評判が伝わってきた。
ある選手が球を貼った状態でプレイするとパフォーマンスがグンと上がったことから、野球チームが甲子園に出場するサポートにもなるようだ。そうしたことでプロ野球業界にも口コミが広がり、スポーツの世界で磁気球製品が愛用されるようになった。現在は、ガラス球を貼り付けるという方法をとらなくても、チタンテープとして販売されている「パワーテープ」という便利な製品がある。もともと口コミで広がった磁気の効果ですが、多くの人が効果を実感してきた経緯がある。【０００３】  前記磁気ネックレスには、血行をよくする効果があると考えられています。血中にはヘモグロビンという成分があり、その中のヘムと呼ばれる鉄の成分へ磁気が働きかけることによって、血行がよくなると考えられている。そのため、磁気ネックレスを首や肩のこりを解消するために使用する人も多い。
スポーツ選手では、パフォーマンスを高めるために運動の自由度を担保することが重要となります。水泳選手や体操選手などが競技前に手や体をぷらぷらと揺らしていることも、体の筋肉を柔らかくし、運動の自由度をあげている。筋肉の血行が阻害されている状況では筋の硬さが増し、しなやかな運動ができなくなってしまうらしい。血行を改善するという観点から、スポーツ領域において磁気ネックレスを用いるとパフォーマンスの向上が期待できるといえる。
【考案の概要】
【考案が解決しようとする課題】
【０００４】  そこで本考案者はメガネを掛ける人からの苦情に、長い時間中メガネをかけていると鼻掛け部によって鼻の両サイドが圧迫を受けて血流が悪くなりつらくなること。また耳かけアームでこみかめが圧迫を受けて緊張し頭痛がしてくる等の報告がある。
本考案者をこれに注目して永久磁石をメガネに利用して鼻の血流を良くして鼻の通しを改善し、更にこみかめ、目頭、眉毛等への圧迫と緊張による疲れや頭痛などを改善する磁石付のメガネを提供する。
【課題を解決するための手段】
【０００５】  上記課題を満足させる本考案における主な技術構成は、次の（１）の通りである。
（１）、鼻掛けアタッチメントと耳かけアームとレンズフレームとを有するメガネにおいて、前記鼻掛けアタッチメント及び耳かけアーム又はレンズフレームのいずれか一つ以上に永久磁石を設けたことを特徴とするメガネ。
【考案の効果】
【０００６】  本考案のメガネは、磁石を前記鼻掛けアタッチメント、耳かけアーム、レンズフレームなどに付設して鼻、目頭、こめかみ、眉毛、耳まわりの血流を良くして鼻の通しを改善し、更にこみかめ、目頭、眉毛等への圧迫と緊張による疲れや頭痛などを改善する優れたメガネである。
【図面の簡単な説明】
【０００７】
【図１】本考案のメガネの実施例を示す斜視説明図である。
【考案を実施するための形態】
【０００８】  本考案を実施するための形態を図１に示す実施例により詳細に説明する。
図１において、本実施例のメガネ１００は、左右のレンズ１０１，１０２を支持したレンズフレーム１０３−１中央フレーム１０３−２に連結した鼻掛けアタッチメント１０４，１０５と耳かけアーム１０６．１０７を有するメガネである。
前記前記メガネ１００は、左右二個の前記鼻掛けアタッチメント１０４，１０５の各反接触面に永久磁石１０８，１０９を設け、永久磁石１０８は磁極を鼻との接触面側をＳ極とし反接触面側をＮ極にしてある。
永久磁石１０９は、磁極を鼻との接触面側をＮ極とし反接触面側をＳ極にしてある。この永久磁石１０８，１０９の配置により永久磁石１０８のＳ極と永久磁石１０９のＮ極間では磁束密度が大きく磁束線は蜜になるのでこの間にある鼻の血管の血流が促進されて前記鼻詰まりが改善される。
【０００９】  本例は前記鼻掛けアタッチメント１０４，１０５の他に両方の耳かけアーム１０６．１０７でコメカミ近くに位置する部分に永久磁石１１０，１１１を配置し、耳部に掛かる部分に永久磁石１１２，１１３を配置する。前記永久磁石１１０，１１１はその磁束線がコメカミを通り筋肉の緊張をほぐして血行を良くし、更には頭痛を改善するのである。叉永久磁石１１２，１１３は、その磁束線が耳部筋肉に掛かりその緊張をほぐして血行を良くし、更には頭痛も改善するのである
【００１０】  更に、レンズフレーム１０３−１にも永久磁石１１４，１１５を配置して、目頭、眉の血行を良くして緊張をほぐし、疲れを取り、場合によっては眉毛の発毛を促す効果もあると思われる。
【産業上の利用可能性】
【００１１】  本考案は、前述の優れた作用効果を呈して一般家庭では勿論、メガネ産業に寄与と発展に貢献すること多大なものがある。
【符号の説明】
【００１１】１００：メガネ
１０３−１：中央フレーム
１０３−２：レンズフレーム
１０４，１０５：鼻掛けアタッチメント
１０６．１０７：耳かけアーム
１０８，１０９、１１０，１１１、１１２，１１３、１１４，１１５：永久磁石
【図１】
0003232130.tif 000003
(57)【要約】      （修正有）【課題】雨の日等でも防犯カメラが使える防犯カメラ防水ビニールを提供する。【解決手段】防犯カメラ防水ビニール３は、防犯カメラのレンズ４を覆うように防水性の強力テープ２で、しっかりと防犯カメラ本体１に付けられる。【選択図】図２
0003232276.tif 000002
【実用新案登録請求の範囲】
【請求項１】
防犯カメラのフイルム全体と、先端の部分に、防水ビニールを付け、防水性の強力テープで、しっかりと付ける防犯カメラ防水ビニール。
【考案の詳細な説明】
【技術分野】
【０００１】  本発明は、雨の日でも使えるようにする防犯カメラ防水ビニールに関するものである。
【背景技術】
【０００２】  従来は、多くの防犯カメラが、雨の日に使うことが難しかった。
【先行技術文献】
【特許文献】
【０００３】
【考案の概要】
【考案が解決しようとする課題】
【０００４】  多くの防犯カメラは、雨の日等に、使うことが難しかった。本発明は以上の問題点を解決するものである。
【課題を解決するための手段】
【０００５】  防犯カメラのフイルム全体と、先端の部分に、防水ビニールを付け、防水性の強力テープで、しっかりと付ける。
【考案の効果】
【０００６】  従来の多くの防犯カメラで不可能だった雨の日等でも使えるようになった。
【図面の簡単な説明】
【０００７】
【図１】横から見た図
【図２】斜めから見た図
【考案を実施するための形態】
【０００８】以下、本発明の実施の形態を説明する。
（イ）日本で多く売られている防犯カメラである。
（ロ）フイルム全体は、防水ビニールが貼ってある。
（ハ）フイルム全体と先端のほうに、防水ビニールで包まれている。
（ニ）防犯カメラと防水ビニールは、隙間が無い。
（ホ）防犯カメラの外側で、先端のほうで、防水ビニールに、防水性の強力テープで、しっかりと止める。
【符号の説明】
【０００９】１、防犯カメラ本体
２、防水性の強力テープ
３、防水ビニール
４、防犯カメラのフイルム部分
【図１】
0003232276.tif 000003
【図２】
0003232276.tif 000004
【手続補正書】
【提出日】令和3年1月22日(2021.1.22)
【手続補正１】
【補正対象書類名】実用新案登録請求の範囲
【補正対象項目名】全文
【補正方法】変更
【補正の内容】
【実用新案登録請求の範囲】
【請求項１】
防犯カメラの映像をうつすレンズを覆うように、防水ビニールを付けて、防水性の強力テープをしっかりと付ける、防犯カメラ防水ビニール。
【手続補正２】
【補正対象書類名】明細書
【補正対象項目名】全文
【補正方法】変更
【補正の内容】
【考案の詳細な説明】
【技術分野】
【０００１】  本考案は雨の日でも使えるようにする防犯カメラ防水ビニールに関するものである。
【背景技術文献】
【０００２】  従来は多くの防犯カメラが、雨の日に使うことが難しかった。
【先行技術文献】
【０００３】
【考案の概要】
【考案が解決しようとする課題】
【０００４】  多くの防犯カメラは、雨の日等に、使うことが難しかった
本考案は以上の問題点を解決するものである。
【課題を解決するための手段】
【０００５】  防犯カメラの映像をうつすレンズを覆うように、防水ビニールを付けて、防水性の強力テープをしっかりと付ける。
【考案の効果】
【０００６】  従来の多くの防犯カメラで不可能だった雨の日等でも使えるようになった。
【図面の簡単な説明】
【０００７】
【図１】横から見た図
【図２】斜めから見た図
【考案を実施するための手段】
【０００８】  以下、本考案の実施の形態を説明する。
（イ）防犯カメラと防水ビニールは隙間が無い。
（ロ）全世界で多く売られている防犯カメラである。
（ハ）防犯カメラの映像をうつすレンズは、防水ビニールで覆う。
（ニ）全方向、使える。
【符号の説明】
【０００９】  １、防犯カメラ本体
２、防水性の強力テープ
３、防水ビニール
４、映像をうつすレンズ
(57)【要約】      （修正有）【課題】隣席の客との飛沫飛散量を極端に減じ、座席間隔を小さくでき、客の離着席時の不便さや障害が軽減され、転倒や着衣の損傷などの事故を少なくできる、カウンターや椅子などのパーティションを提供する。【解決手段】パーティションは、張り出した円弧仕切り部２によって、客の着席や移動時の障害を少なくし、飛沫拡散量が最も多いとされている隣席への影響を避ける構造とした。このことにより客席の利用効率を上げ店舗の経営効率向上にも寄与する。【選択図】図３
0003232277.tif 000002
【実用新案登録請求の範囲】
【請求項１】
カウンターに設置する曲線状の突起を有するパーティション
【請求項２】
請求項１に準ずるテーブル用パーティション
【請求項３】
請求項１に準ずる劇場や待合室の椅子に取り付けるパーティション
【考案の詳細な説明】
【技術分野】
【０００１】    本考案は、ウイルス感染防止に関する飛沫拡散防止パーティションに関する。
【背景技術】
【０００２】
【先行技術文献】
【０００３】
【特許文献】
【特許文献】実用新案登録第３２２８３４４号（Ｕ３２２８３４４）  実用新案登録第３２２８３００号（Ｕ３２２８３００）  実用新案登録第３２２７６７５号（Ｕ３２２７６７５）
【非特許文献】
【非特許文献】ｈｔｔｐｓ：／／ｓｅａｒｃｈ．ｒａｋｕｔｅｎ．ｃｏ．ｊｐ／ｓｅａｒｃｈ／ｍａｌｌ／％Ｅ３％８２％Ａ６％Ｅ３％８２％Ａ４％Ｅ３％８３％ＡＢ％Ｅ３％８２％Ｂ９＋％Ｅ３％８３％９１％Ｅ３％８３％ＢＣ％Ｅ３％８３％８６％Ｅ３％８３％ＢＣ％Ｅ３％８２％Ｂ７％Ｅ３％８３％Ａ７％Ｅ３％８３％Ｂ３／
【考案の概要】
【考案が解決しようとする課題】
【０００４】  不特定多数の客が利用する飲食店及び劇場や待合室等の密になりやい空間においては、コロナ新型ウイルス感染防止対策として店内の座席の間隔を広げたり入場者を制限したり室内換気の促進などの対策を講じている。【０００４】  更に、上記室内の閉鎖空間での飛沫感染抑制策としてパーティションを設けることでウイルス拡散防止対策を講じている。（図１）【０００５】  しかし、従来の角形パーティションでは卓巾から張り出した構造では客の行動上の様々な障害があるために卓巾以上の張り出した構造は見当たらない。【０００６】  従って卓巾から外れた客の座る空間は隣客との仕切りがなく解放空間となっている。（図４）【０００６】  スーパーコンピューターによる飛沫拡散シュミレーション結果によると、隣席者同士は対面者同士に比較して約５倍の飛沫物の影響を受ける結果となっている。【０００７】  影響を少なくする為従来の四辺形のパーティションを客側に張り出せば離着席者の行動に障害となり更には客に圧迫感を与える事になる。【０００８】  従来のパーティションには以上のような欠点があった。【０００８】
【考案が解決しようとする課題】
【０００９】
【課題を解決するための手段】
【００１０】  上記欠点を無くする手段としてパーティションを客側に円弧上に張り出した構造とする。（図１）【００１１】  隣席の人に対する飛沫物飛散を防ぐ為空間の許す限りパーティションの形状を卓面から手前に張り出し、客の移動時の支障を極力小さくするために円弧形状とした。
【考案の効果】
【００１２】  隣席の客との飛沫飛散量を極端に減じる。従って座席間隔を小さくでき、店舗の売り上げ増が期待できる。本考案のパーティション設置により東京都ソーシャルディスタンスの基準に比較すれば約２〜３倍の収容が期待できる【００１３】  客の離着席時の不便さや障害が軽減され、離着席時や移動時の転倒や着衣の損傷などの事故を少なくできる。【００１５】  円弧上の張り出し部はデザイン上も圧迫感がなく快適な空間が提供され店の雰囲気が良くなる。【００１６】  劇場や待合室の椅子に設置した場合も同様の効果が生まれる。
【図面の簡単な説明】
【００１６】
【図１】は本考案のカウンター用パーティションの斜視図
【図２】は従来のテーブル用パーティションの斜視図
【図３】は本考案のカウンター用パーティションの使用参考図
【図４】は本考案のテーブル用パーテイションの使用参考図
【図５】は本考案の劇場や待合室用椅子用パーティションの使用参考図「
【図６】は本考案の折りたたみ式パーティションの使用参考図
【考案を実施するための形態】
【００１７】  如何なる室内環境条件でも条件下でも、隣席の人が受けるウイルス等の飛沫濃度を従来の半分に低下させるパーティションを提供する。
【００１８】  パーティションを設置した際に生じる圧迫感を軽減せしめ、客の着席や移動の際に生じる障害を極力小さくせしめる。
【実施例】
【００１９】  図３は本考案のカウンター用の実施例を示す。【００２０】  図４は本考案テーブル用の実施例を示す。【００２１】  図５は本考案の椅子用の実施例を示す。【００２２】  図６は本考案の折り畳み式パーティションの実施例を示す。
【産業上の利用可能性】
【００１９】    本考案は、從來の角形四辺形のパーティションに比して、客が受ける解放感や安心感が増え、店舗経営面で収容人員を増やせるなど経済的な貢献が大きい。
【符号の説明】
【００２０】  １  パーティションの中央部
２  パーティション円弧面張り出し部
３  パーティション転倒防止具の例
４  通気孔
【図１】
0003232277.tif 000003
【図２】
0003232277.tif 000004
【図３】
0003232277.tif 000005
【図４】
0003232277.tif 000006
【図５】
0003232277.tif 000007
【図６】
0003232277.tif 000008
【手続補正書】
【提出日】令和3年1月26日(2021.1.26)
【手続補正１】
【補正対象書類名】実用新案登録請求の範囲
【補正対象項目名】全文
【補正方法】変更
【補正の内容】
【実用新案登録請求の範囲】
【請求項１】
カウンターに設置するパーティションであって、カウンターに設置されるパーティション中央部と、パーティション中央部から客側に円弧状で張り出すパーティション円弧張り出し部とを備えたパーティション。
【請求項２】
テーブルに設置するパーティションであって、テーブルに設置されるパーティション中央部と、パーティション中央部から客側に円弧状で張り出すパーティション円弧張り出し部とを備えたパーティション。
【請求項３】
劇場や待合室に設置するパーティションであって、劇場や待合室に設置されるパーティション中央部と、パーティション中央部から客側に円弧状で張り出すパーティション円弧張り出し部とを備えたパーティション。
(57)【要約】【課題】見栄えが良く、ピッキングや箱詰め梱包の手間が省け、陳列の手間が省ける靴下展示具を提供する。【解決手段】本考案の靴下展示具は、一足以上の靴下からなる靴下パッケージＡの長さ方向の下方を収納保持して水平状態に靴下パッケージＡの複数個を升目状に並べる台座ボックス１と、これら台座ボックス１及び靴下パッケージＡを上方から側方に掛けて覆うカバー２と、このカバー２を台座ボックス１の底面個所において固定するテープ３と、からなる。【選択図】図３
0003232262.tif 000002
【実用新案登録請求の範囲】
【請求項１】
一足以上の靴下からなる靴下パッケージの長さ方向の下方を収納保持して水平状態に前記靴下パッケージの複数個を升目状に並べる台座ボックスと、これら台座ボックス及び靴下パッケージを上方から側方に掛けて覆うカバーと、このカバーを前記台座ボックスの底面個所において固定するテープと、からなることを特徴とする靴下展示具。
【考案の詳細な説明】
【技術分野】
【０００１】  本考案は、新規な靴下展示具に関するものである。
【背景技術】
【０００２】  靴下の展示方法としては、複数足（例えば、３足）の靴下をまとめて一つの靴下パッケージにして吊り下げ展示する方法（例えば、下記特許文献１、２参照）、あるいは、一足毎に足に見立てた補助部材に靴下を履かせ（被せ）る等により立体的に展示する方法（例えば、下記特許文献３、４参照）等が知られている。
【先行技術文献】
【特許文献】
【０００３】
【特許文献１】特開平１１−１６９２６８号公報
【特許文献２】特開平１１−３１０２８８号公報
【特許文献３】特開２０１３−２５５５２３号公報
【特許文献４】実用新案登録第３１９５３５２号公報
【考案の概要】
【考案が解決しようとする課題】
【０００４】  特許文献１、２のような吊り下げ展示する方法では、需要者への視覚的な訴求力が弱く購買意欲の刺激効果に弱い問題があり、特許文献３、４のような立体的に展示する方法では、販売店において製造工場からの梱包を開けて靴下を所定の状態へ陳列するための作業が必要となる問題がある。
【課題を解決するための手段】
【０００５】  本考案の靴下展示具は、一足以上の靴下からなる靴下パッケージの長さ方向の下方を収納保持して水平状態に前記靴下パッケージの複数個を升目状に並べる台座ボックスと、これら台座ボックス及び靴下パッケージを上方から側方に掛けて覆うカバーと、このカバーを前記台座ボックスの底面個所において固定するテープと、からなることを特徴とするものである。
【考案の効果】
【０００６】  本考案によれば、台座ボックスと靴下パッケージのデザインが組み合わさって従来の陳列方法よりも見栄えが良く、台座ボックスとカバーとをそれらの底面個所においてテープで固定しており製造工場からは靴下パッケージを収納した状態で出荷できるのでピッキングや箱詰め梱包の手間が省け、販売店ではカバーを外せばそのままの状態で陳列できるので靴下パッケージを１個ずつ並べる従来の方法より手間が省ける。
【図面の簡単な説明】
【０００７】
【図１】  本考案に用いる靴下パッケージの写真である。
【図２】  本考案の一実施例の台座ボックスと靴下パッケージとを説明する斜視図である。
【図３】  同上実施例にテープでカバーと取り付けた状態を説明する斜視図である。
【考案を実施するための形態】
【０００８】  本考案の靴下展示具は、一足以上の靴下からなる靴下パッケージの長さ方向の下方を収納保持して水平状態に前記靴下パッケージの複数個を升目状に並べる台座ボックスと、これら台座ボックス及び靴下パッケージを上方から側方に掛けて覆うカバーと、このカバーを前記台座ボックスの底面個所において固定するテープと、からなるが、以下に一実施例を説明する。
【実施例】
【０００９】  図１〜３において、Ａは、一足以上の靴下からなる靴下パッケージ、１は、靴下パッケージＡの長さ方向の下方を収納保持して水平状態に靴下パッケージＡの複数個を升目状に並べる台座ボックス、２は、台座ボックス１及び靴下パッケージＡを上方から側方に掛けて覆うカバー、３は、カバー２を台座ボックス１の底面個所において固定するテープである。【００１０】  靴下パッケージＡは、１足の靴下をその長さ方向の略中間で二つ折りにしたものを３足（及び３足以外も含む）重ねてパッケージしたものである。【００１１】  台座ボックス１は、６個の靴下パッケージＡの長さ方向の下方の略半分を収納保持して水平状態に靴下パッケージＡの複数個を２行×３列の升目状に並べる平面形状長方形の箱状である。【００１２】カバー２は、台座ボックス１に靴下パッケージＡを収納した状態でそれらを上方から側方に掛けて覆う透明若しくは半透明あるいは不透明なカバーである。【００１３】  テープ３は、製造工場からの出荷時において、台座ボックス１とカバー２とをそれらの底面個所において固定するものである。【００１４】  このような構成の靴下展示具であるので、台座ボックス１と靴下パッケージＡのデザインが組み合わさって従来の陳列方法よりも見栄えが良く、台座ボックス１とカバー２とをそれらの底面個所においてテープ３で固定しており製造工場からは靴下パッケージＡを収納した状態で出荷できるのでピッキングや箱詰め梱包の手間が省け、販売店ではカバー２を外せばそのままの状態で陳列できるので靴下パッケージＡを１個ずつ並べる従来の方法より手間が省ける。【００１５】  なお、本考案は、その趣旨の範囲で種々の変更が可能であることは言うまでもなく、例えば、台座ボックス１に収納する靴下パッケージＡの個数は任意であり、その平面形状は長方形の箱状以外にも三角形や五角形等の多角形であっても良く、カバー２はそれに合わせた形状にすることができる。
【符号の説明】
【００１６】  Ａ  靴下パッケージ
１  台座ボックス
２  カバー
３  テープ
【図１】
0003232262.tif 000003
【図２】
0003232262.tif 000004
【図３】
0003232262.tif 000005
(57)【要約】      （修正有）【課題】筐体の内部への電気機器の取付け及び取外しと共に、電気機器の交換の作業性を向上させる鉄道車両の内部装置を提供する。【解決手段】鉄道車両の内部装置１は、直方体形状の筐体２を有し、筐体２の各辺に沿って延びる、複数本のフレーム材３が連結されてフレーム４が形成され、フレーム４に、筐体２の各面を構成する複数枚の板材５が固着されて筐体２が形成され、一部の板材５１には、筐体２の内部側の面に電気機器６が装着される。【選択図】図１
0003232207.tif 000002
【実用新案登録請求の範囲】
【請求項１】
内部に電気機器が設けられた筐体が鉄道車両の内部に設置される鉄道車両の内部装置であって、
筐体の各辺に沿って延びる、複数本のフレーム材が連結されてフレームが形成され、このフレームに、筐体の各面を構成する複数枚の板材が固着されて筐体が形成され、一部の板材には、筐体の内部側の面に電気機器が装着されることを特徴とする鉄道車両の内部装置。
【考案の詳細な説明】
【技術分野】
【０００１】
本考案は、内部に電気機器が設けられた筐体が鉄道車両の内部に設置される鉄道車両の内部装置に関する。
【背景技術】
【０００２】
従来、この種の鉄道車両の内部装置として、例えば、電力変換装置、車両制御装置等が知られており、金属製等の板材により形成された直方体状の中空な筐体の内部に電気機器が収納され、筐体は、対向する一対の上板と下板及び対向する二対の側板から構成される。このような構成の鉄道車両の内部装置は、基本的に、鉄道車両の床下に設置される床下装置の構成と同様である（例えば、特許文献１参照）。
【０００３】
しかし、電気機器は、筐体の内部に取り付けられるため、現状の鉄道車両の内部装置には、筐体への電気機器の取付作業ばかりでなく、点検保守時の取外作業や交換作業が必ずしも容易ではないという問題がある。
【先行技術文献】
【特許文献】
【０００４】
【特許文献１】特開２０１４−１５０６０号公報
【考案の概要】
【考案が解決しようとする課題】
【０００５】
本考案は、以上の点に鑑み、筐体の内部への電気機器の取付け及び取外しと共に、電気機器の交換の作業性が向上した鉄道車両の内部装置を提供することをその課題としている。
【課題を解決するための手段】
【０００６】
上記課題を解決するために、本考案は、内部に電気機器が設けられた筐体が鉄道車両の内部に設置される鉄道車両の内部装置であって、筐体の各辺に沿って延びる、複数本のフレーム材が連結されてフレームが形成され、このフレームに、筐体の各面を構成する複数枚の板材が固着されて筐体が形成され、一部の板材には、筐体の内部側の面に電気機器が装着されることを特徴とする。
【０００７】
本考案によれば、筐体の各面を構成する板材の一部の、筐体の内部側の面に、予め電気機器が装着されるため、電気機器と板材は一ユニットになり、電気機器の取付けは筐体の組立てと同時に行うことができる。また、電気機器の取外しは筐体の分解と同時に行うことができる。さらに、電気機器を交換する際には、筐体の外で行うことができる。したがって、筐体の内部への電気機器の取付け及び取外しと共に、電気機器の交換の作業性が向上する。
【図面の簡単な説明】
【０００８】
【図１】本考案の鉄道車両の内部装置の一実施形態を示す分解斜視図。
【図２】図１に示す鉄道車両の内部装置のフレームを示す斜視図。
【図３】図２に示すフレームを形成するフレーム材を示す斜視図。
【考案を実施するための形態】
【０００９】
図１を参照して、本実施形態の鉄道車両の内部装置１について説明する。鉄道車両の内部装置１では、筐体２は、直方体状の形状を有し、内部が中空になっている。また、筐体２は、各辺に沿って延びる、複数本のフレーム材３が連結されて形成されたフレーム４に、筐体２の各面を構成する複数枚の板材５が、ネジ等により固着されて形成されている。そして、一部の板材５１に、電気機器６が、筐体２の内部側の面に装着されている。
【００１０】
このように、鉄道車両の内部装置１では、電気機器６と板材５１は一ユニットになり、電気機器６の取付けは筐体２の組立てと同時に行うことができる。また、電気機器６の取外しは筐体２の分解と同時に行うことができる。さらに、電気機器６を交換する際には、これまでは筐体２の内部で作業せざるを得なかったが、電気機器６と板材５１は一ユニットになっているため、板材５１を取り外した後、筐体２の外で電気機器６の交換を行うことができる。したがって、筐体２の内部への電気機器６の取付け及び取外しと共に、電気機器６の交換の作業性が向上する。
【００１１】
次に、図２を参照して、筐体２のフレーム４は、上記の通り、筐体２の各辺に沿って延びる、複数本のフレーム材３が、Ｌアングル７を介してネジにより連結されて形成されている。フレーム材３は、図３に示すように、アルミニウムの押出材である。フレーム材３は、長尺で、円筒状の中空部を有する、長手方向の断面の外形が正方形である芯材３１と、芯材３１の正方形の断面の２つの対角方向に、夫々、芯材３１の中空部の中心から等距離で離間して位置し、直角に曲折された折曲部３２ａを有する４つのコーナー材３２とを備えている。隣り合う２つのコーナー材３２間には等幅の溝３２ｂが形成され、各コーナー材３２の折曲部３２ａを形成する各片は、溝３２ｂを挟んで平行に配置されている。また、各コーナー材３２は、芯材３１の４つの角の夫々から折曲部３２ａに向かって延びる連結片３３を介して芯材３１に連結されている。
【００１２】
図２に戻って、図１に示す筐体２の奥行き方向をＸ軸方向、長さ方向をＹ軸方向、高さ方向をＺ軸方向として、筐体２のＺ軸方向の４辺の夫々に対応する位置に１本のフレーム材３が配置されている。計４本のフレーム材３の内、Ｘ軸方向及びＹ軸方向の夫々に対向する２本のフレーム材３の上端部間及び下端部間の夫々に、フレーム材３が、筐体２のＸ軸方向及びＹ軸方向の各辺に対応する位置に配置されている。そして、３本のフレーム材３が突き合わされるＺ軸方向とＸ軸方向の直交部４１と、Ｚ軸方向とＹ軸方向の直交部４２と、Ｘ軸方向とＹ軸方向の直交部４３とが、Ｌアングル７を介してネジがコーナー材３２の溝３２ｂ内を通じてフレーム材３に螺着されることで連結されている。この連結によってフレーム４が形成されている。
【００１３】
また、筐体２のＺ軸方向上下に対向する２面を構成する板材５は、フレーム材３が備える芯材３１のＺ軸方向に延びる円筒状の中空部にネジで螺着されることで、フレーム４に取り付けられる。そして、筐体２のＸ軸方向及びＹ軸方向の両方向で対向する各２面を構成する板材５，５１は、フレーム材３の２つのコーナー材３２間の溝３２ｂ内を通じてネジがフレーム材３に螺着されることで、フレーム４に取り付けられる。
【００１４】
以上、本考案の実施形態について図面を参照して説明したが、本考案はこれに限定されない。例えば、フレーム材３の構成、構造及び形状、フレーム４を形成するフレーム材３の本数、電気機器６の種類、板材５１への電気機器６の装着方法等の細部については様々な態様が可能である。
【符号の説明】
【００１５】
１…鉄道車両の内部装置、２…筐体、３…フレーム材、４…フレーム、５，５１…板材、６…電気機器。
【図１】
0003232207.tif 000003
【図２】
0003232207.tif 000004
【図３】
0003232207.tif 000005
(57)【要約】      （修正有）【課題】自家製のぬか漬けを作る時ぬかをかき混ぜると、ぬかが５本指に入り込み、洗い辛く手に臭いも残るということを解決するぬか漬け用左右兼用ミトン型ゴム手袋を提供する。【解決手段】ミトン型のゴム手袋１の先端２を平らにし、その内側に一枚のプレートを中央で折り曲げた山型プレート３を取り付けた。山型プレート３は、４本の指先から指関節の２つ分がおさまる大きさで、４本の指がスムーズに装着できる構造になっている。【選択図】図１
0003232221.tif 000002
【実用新案登録請求の範囲】
【請求項１】
ぬか漬け用左右兼用ミトン型ゴム手袋１であって、ミトン型ゴム手袋の先端２が平らになっており、その内側に一枚のプレートが中央で折り曲げられ山型に成形された山型プレート３が取り付けられたぬか漬け用左右兼用ミトン型ゴム手袋１である。
【請求項２】
ぬか漬け用左右兼用ミトン型ゴム手袋１の先端２は使用時に山の直線部分が曲がったり、たわんだりせず直線を保ち、ぬか床を隅々までかき混ぜることができる強度を持つ請求項１記載のぬか漬け用左右兼用ミトン型ゴム手袋。
【考案の詳細な説明】
【技術分野】
【０００１】  本考案のぬか漬け用左右兼用ミトン型ゴム手袋は、ミトン手袋の先端が平らになっており、その内側には、１枚のプレートの中央で折り曲げられた山型のプレートが取り付けられているぬか漬け用左右兼用ミトン型ゴム手袋である。
【背景技術】
【０００２】  日本人の食生活にぬか漬けは古くから欠かせないものとされているが、最近はぬか床をかき混ぜる時手が汚れたり手につく臭いが気になるため敬遠されている。しかしながらぬか漬けは健康によい発酵食品なので自家製のぬか漬けを毎日食したいものである。
【先行技術文献】
【特許文献】
【０００３】
【特許文献１】実用新案登録第３０５９９３２号公報
【考案の概要】
【考案が解決しようとする課題】
【０００４】    ぬか漬けは日本食によく合い、自家製のぬか床を持っていることは発酵食品としての健康面に大きな効果があるにもかかわらず、ぬか床を毎日かき混ぜる必要があり、その時、指の間にぬかがこびりつき、ぬかをムダに洗い流したり、手にも臭いが残っていた。
【課題を解決するための手段】
【０００５】  この問題を解決するためのぬか漬け用左右兼用ミトン型ゴム手袋は、具体的には、ミトン型ゴム手袋の先端を平らにし、その内側には、指先２関節まで入る山型プレートが取り付けられており、装着時スムーズに４本の指が入るようになっている。
【考案の効果】
【０００６】  本考案のぬか漬け用左右兼用ミトン型ゴム手袋１は、ぬか漬け用左右兼用ミトン型ゴム手袋１であって、ぬか漬け用左右兼用ミトン型ゴム手袋１を装着するときは４本の指をぬか漬け用左右兼用ミトン型ゴム手袋１の内側に取り付けられた山型プレート３に入れる。
ぬか漬け用左右兼用ミトン型ゴム手袋の先端２の平らの部分は容器の中のぬか床を隅から隅までかき混ぜることができ、ぬか床の表面をなでることでぬか床の表面を平らにすることができる。
【図面の簡単な説明】
【０００７】
【図１】ぬか漬け用左右兼用ミトン型ゴム手袋を正面から見た図
【図２】ぬか漬け用左右兼用ミトン型ゴム手袋を裏面から見た図
【図３】ぬか漬け用左右兼用ミトン型ゴム手袋を側面から見た図
【図４】ぬか漬け用左右兼用ミトン型ゴム手袋を分解した図
【図５】ぬか漬け用左右兼用ミトン型ゴム手袋使用している図
【図６】ぬか漬け用左右兼用ミトン型ゴム手袋のぬかを洗い流している図
【考案を実施するための形態】
【０００８】  本考案は、日本の伝統食品であるぬか漬けを手につく臭いなど気にせず気軽にぬか漬けを作る物である。そのため、ぬか漬け用左右兼用ミトン型ゴム手袋の先端２は平らになっており、その内側には山型のプレート３が取り付けられている。
【０００９】  本考案はぬか漬けを作るとき、ミトン型ゴム手袋は左右兼用なので左右を気にせず手にはめることができ、ゴム製なのでさっと水で洗い流せて便利である。
【符号の説明】
【００１０】１  ぬか漬け用左右兼用ミトン型ゴム手袋
２  ぬか漬け用左右兼用ミトン型ゴム手袋の先端
３  山型のプレート
【図１】
0003232221.tif 000003
【図２】
0003232221.tif 000004
【図３】
0003232221.tif 000005
【図４】
0003232221.tif 000006
【図５】
0003232221.tif 000007
【図６】
0003232221.tif 000008
【手続補正書】
【提出日】令和3年1月25日(2021.1.25)
【手続補正１】
【補正対象書類名】実用新案登録請求の範囲
【補正対象項目名】全文
【補正方法】変更
【補正の内容】
【実用新案登録請求の範囲】
【請求項１】
ぬか漬け用左右兼用ミトン型ゴム手袋１であって、ミトン型ゴム手袋の先端２が平らになっており、その内側に一枚のプレートが中央で折り曲げられ山型に成形された山型プレート３が取り付けられたぬか漬け用左右兼用ミトン型ゴム手袋１。
(57)【要約】      （修正有）【課題】タイピングを効率化するパソコン用キーボードを提供する。【解決手段】パソコン用キーボードのキーすべてを指配列ごとに色分けすることで視覚に訴えることにより、従来に比べより早く指を置くキーの位置を把握することができ、効率的にタイピング練習を行うことができる。【選択図】図１
0003232227.tif 000002
【実用新案登録請求の範囲】
【請求項１】
パソコンキーボードのキーを指配列ごとに色分けとしたところを特徴とするパソコン用キーボード
【請求項２】
パソコンキーボードのキー前面を指配列ごとに色分けしたところを特徴とするパソコン用キーボード
【請求項３】
パソコンキーボードにかぶせるキーボード保護カバーを指配列ごとに色分けしたところを特徴としたパソコン用キーボードカバー
【考案の詳細な説明】
【技術分野】
【０００１】  本考案は、パソコンキーボードのキーを指配列ごとに色分けしたパソコン用キーボードに関するものである。
【背景技術】
【０００２】  タイピング練習用の色分けされた指配列図を基に実際に使用するパソコン用キーボードで練習をした際、各キーに対応する指の配置を把握するのが困難であった。
【考案の概要】
【考案が解決しようとする課題】
【０００３】  タイピング練習用の指配列図では各キーに対応した指配列ごとに色分けがなされているが、実際に使用するパソコン用キーボードには色分けがなされていないため、指配置図と見比べながらキーボードの各キーに指を置いても指の置く位置を誤ることが散見され、非常に非効率である。従って、キーボードのキーに指配列図と同じ色分けをすることで指位置の誤りが減少し、前述の欠点を解決しようとするものである。
【課題を解決するための手段】
【０００４】  本考案は、指配列ごとにパソコン用キーボードの各キーを色分けすることにより問題を解決している。
【考案の効果】
【０００５】  上述のように、本考案の色分けパソコン用キーボードは、指配列ごとに色分けすることで視覚に訴えることにより、従来に比べより早く指を置くキーの位置を把握することでき、効率的にタイピング練習を行うことができる。
【図面の簡単な説明】
【０００６】
【図１】本考案のパソコンキーボードのキーを指配列ごとに色分けしたパソコン用キーボードの一実施例を示す正面図である。
【図２】本考案のパソコンキーボードのキー前面を指配列ごとに色分けパソコン用キーボードの一実施例を示す正面図である。
【図３】本考案の色分けパソコン用キーボードカバーの一実施例を示す正面図である。
【考案を実施するための形態】
【０００７】  図１は、パソコンキーボードのキーをすべて指配列（小指は黄色、薬指は緑、中指は赤、人差し指は青、その他は紫）ごとに着色する範囲を示すもの。
【０００８】  図２は、パソコンキーボードのキーの前面を指配列（小指は黄、薬指は緑、中指は赤、人差し指は青、その他は紫）ごとに着色をする範囲を示すもの。
【０００９】  図３は、パソコンキーボード用カバーをすべて指配列（小指は黄、薬指は緑、中指は赤、人差し指は青、その他は紫）ごとに着色する範囲を示すもの。
なお、パソコンキーボード用カバーは、キーボードの文字が見えるように着色する。パソコンキーボード用カバーは、キーボードすべてを覆うこと。
シリコン、Ｔ−ポリウレタン、ウレタン、ナイロン、シルクロンなどの適宜素材を使用する。
【実施例】
【００１０】  以下、添付図面に従って一実施例を説明する。図１は、パソコンキーボードのキーを指配列ごとに着色する範囲を示したもの。【００１１】  図２は、パソコンキーボードのキー前面を指配列ごとに着色する範囲を示したもの。【００１２】  図３は、パソコンキーボード用カバーをすべて指配列ごとに着色する範囲を示したもの。
【符号の説明】
【００１３】  １  小指の着色（黄）範囲
２  薬指の着色（緑）範囲
３  中指の着色（赤）範囲
４  人差し指の着色（青）範囲
５  その他の着色（紫）範囲
６  指配列ごとに着色する範囲
【図１】
0003232227.tif 000003
【図２】
0003232227.tif 000004
【図３】
0003232227.tif 000005